(57)【要約】【課題】  携帯電話のマナーモードの着信振動を手のひらで感知できる、携帯電話のキャリーバッグを提供する。【解決手段】  携帯電話の収納ケースの一端に収納ケースを手のひらに沿って吊着できる手首ベルトを接続し、かつ収納ケースの逆端に、指ベルトを設けたことを特徴とする携帯電話のキャリーバッグ。【選択図】図１
2007243893.tif 000002
【特許請求の範囲】
【請求項１】
携帯電話の収納ケースの一端に収納ケースを手のひらに沿って吊着できる手首ベルトを設け、かつ収納ケースの逆端に指ベルトを設けたことを特徴とする携帯電話のキャリーバッグ。
【発明の詳細な説明】
【技術分野】
【０００１】  本発明は、携帯電話のマナーモードの着信振動を手のひらで感知できるように工夫した携帯電話のキャリーバッグに関するものである。
【背景技術】
【０００２】  従来、携帯電話のマナーモードの着信振動の感知手段として、着衣のポケットに入れておく、専用収納ケースを腰ベルトに取り付けるなどの方法が一般的であった。
【発明の開示】
【発明が解決しようとする課題】
【０００３】  そのためつぎのような問題点があった。
（イ）女性の場合、着衣に携帯電話を入れておく適当なポケットがない場合が多く、またキャリーバッグを取り付けられるようなベルトを着用することも少なく、これらによる着信振動感知手段は採りにくかった。
（ロ）着信振動を感知できる従来のキャリーバッグはウエストベルトに取り付けるタイプが主であった。
そのため、造りが男性向きであり、女性が使いたくなるようなファッション性を備え、かつしっかりと保持でき、使い勝手もよいキャリーバッグが求められていた。
本発明は、以上の問題点を解決するためになされたものである。
【課題を解決するための手段】
【０００４】  携帯電話の収納ケースの一端に収納ケースを手のひらに沿って吊着できる手首ベルトを接続する。
収納ケースの逆端に指ベルトを設ける。
以上を特徴とする携帯電話のキャリーバッグである。
【発明の効果】
【０００５】  本発明は、つぎのような効果を有する。
（イ）収納ケースの一端に、収納ケースを手のひらに沿って吊着できる手首ベルトを接続し、かつ収納ケースの逆端に指ベルトを設けたので、携帯電話を収めた収納ケースを手首ベルトで手首に固定して垂下させ、指ベルトに人差し指ないし中指を挿入すると手のひらに携帯電話がぴったりと密着し、かつしっかりと保持することができる。
したがって、着衣にポケットやベルトが備わっていなくともマナーモードの着信振動を確実に感知することができる。
（ロ）収納ケースを、手首ベルトで手のひら側に垂下させたので手の甲側から見えるのはほぼ手首ベルトと指ベルトだけである。
したがってファッションの邪魔にならず、逆にこの手首ベルトと指ベルトにファッション性を持たせることも可能である。
（ハ）指ベルトは、手首ベルトとは逆端に設けたので、指の脱着、差し換えも、片手のままたやすくできる。
したがって重いバッグを持ったり、手を洗ったりも可能であり、使い勝手も悪くない。
【発明を実施するための最良の形態】
【０００６】  以下、本発明の実施の形態について説明する。
（イ）収納ケース（１）は、折りたたみ携帯電話が収納可能な小型の長方体とし、図４、図５に見るように収納ケースの背面体（９）の上端には手首ベルト通し（４）を設け、手首ベルト（２）を後方に向けて水平に突出させる形で取り付ける。
（ロ）一方、図４、図５に見るように、背面体（９）の下端には指ベルト通し（５）を設け、指ベルト（３）を手首ベルトと同様、後方に向けて水平に突出させる形で取り付ける。
この位置は、収納ケース（１）を手首ベルト（２）で固定し、指ベルト（３）に人差し指ないし中指を挿入した際、指ベルト（３）が丁度指のつけ根直近の指節に掛かる位置であり、この場合、この指も比較的自由に使える。
この指ベルトは、図９の断面図に見るように背面体（９）を取り巻く形で環状に取り付ける。
背面体（９）の横幅中央部において、指ベルト（３）の外側と中側を、背面体（９）を挟んだ形で、一緒に細い綴じベルト（１０）で締めつける。
（ハ）図８の断面図に見るように、収納ケースの前面体（８）と連続させる形で、上面中央部まで被さる蓋（１１）を設け、さらに、背面体（９）の手首ベルト通し（４）の下部に固定ベルト（６）を取り付け、着脱しやすい留め具（７）を用いて前面体（８）と衝止させる。
収納ケース（１）の蓋（１１）を短くすることにより、アンテナの飛び出た機種、携帯電話が長めの機種にも対応可能となる。
本発明は以上のような構造である。
本発明を使用するときには、収納ケース（１）に携帯電話を収納し、蓋（１１）を内側に向けて曲折させ、固定ベルト（６）で抑え留める。
つぎは、図１のように、収納ケース（１）が手のひら側にくるように手首ベルト（２）で手首に固定し、指ベルト（３）に人差し指ないし中指を挿入する。
指ベルト（３）は、図３に見るように背面体の横幅中央部で締めつけてあるだけなので、指を通すベルトの位置を左右いずれにも簡単に変更できる。
したがって本発明は右手にも左手にも装着可能である。
【実施例】
【０００７】（イ）図１１に示したように実施例収納ケース（１３）は手のひらサイズの基礎板体（１４）と透明な携帯電話固定帯（１５）、およびゴム紐（１６）を取り付けた透明のずり落ち防止帯（１７）で構成されている。
本発明と組み合わせることにより、着信振動が感知できるだけでなく、固定帯およびずり落ち防止帯を透明にすることによって、図１２に見るように、収納ケースから携帯電話を外すことなく、送信者を確認でき、通話ができ、かつプッシュボタンを押すことができる。
使用方法は、まず該収納ケースを本発明の手法によって手のひらに装着した後、基礎板体（１４）に取り付けた固定帯（１５）に折りたたみ式携帯電話の文字盤側を指先側から挿入し、携帯電話の蓋を閉じ、この上からずり落ち防止帯（１７）で押さえ留める。
固定帯（１５）はただの帯にしてあるので送話口を塞ぐ心配がない。
（ロ）手首ベルトおよび指ベルトはゴム製にすると着脱が楽である。
（ハ）手首ベルト通し部分は、留め具を用いるなどして開閉可能にしておくと、ベルトをファッションに合わせて交換することができる。
また、腕時計のベルトやブレスレットにも装着が可能となる。
（ニ）夏期の汗防止対策として、収納ケースの背面体をマジックテープ（登録商標）仕上げにし、使い捨ての吸水パットが取り付けられるようにすることもできる。
【図面の簡単な説明】
【０００８】
【図１】本発明の斜視図である。
【図２】本発明の正面図である。
【図３】本発明の背面図である。
【図４】本発明の左側面図である。
【図５】本発明の右側面図である。
【図６】本発明の平面図である。
【図７】本発明の底面図である。
【図８】本発明のＡ−Ａ断面図である。
【図９】本発明のＢ−Ｂ断面図である。
【図１０】本発明の実施例の正面図である。
【図１１】本発明の実施例の左側面図である。
【図１２】本発明の実施例の斜視図である。
【符号の説明】
【０００９】  １    収納ケース
２    手首ベルト
３    指ベルト
４    手首ベルト通し
５    指ベルト通し
６    固定ベルト
７    留め具
８    前面体
９    背面体
１０  綴じベルト
１１  蓋
１２  底面
１３  実施例収納ケース
１４  基礎板体
１５  携帯電話固定帯
１６  ゴム紐
１７  ずり落ち防止帯
１８  ゴム紐掛け
１９  ずり落ち防止帯とゴム紐の結合部
【図１】
2007243893.tif 000003
【図２】
2007243893.tif 000004
【図３】
2007243893.tif 000005
【図４】
2007243893.tif 000006
【図５】
2007243893.tif 000007
【図６】
2007243893.tif 000008
【図７】
2007243893.tif 000009
【図８】
2007243893.tif 000010
【図９】
2007243893.tif 000011
【図１０】
2007243893.tif 000012
【図１１】
2007243893.tif 000013
【図１２】
2007243893.tif 000014